(57)【要約】【課題】本発明は、セラミック製ハニカム成形体製造装置のスライド式カセットを備えた濾過装置において、カセットと濾過装置の筐体壁との間に生じる隙間からのセラミック原料の漏洩を防止するとともに、金属製濾過網の交換が容易にできる濾過装置を提供する。【解決手段】スライド式カセットの前後両面に前記金属製濾過網の支持板（カセットブレーカー）を取り囲むように削設された円形状の嵌合溝と、前記スライド式カセットの前後に位置する濾過装置の筐体壁内に装着され、前記金属製濾過網が筐体内に挿入されたときには前記嵌合溝に嵌入し、金属製濾過網を交換するために前記スライド式カセットを筐体外に移動させるときには嵌合溝との嵌合を解除できる２つの円筒形状の摺動ライナーと、前記２つの円筒形状の摺動ライナーの嵌合溝への嵌入と嵌合解除を行う２つの摺動ライナー駆動手段とで構成されてなる漏洩防止機構を備えることによる。【選択図】  図５
2009208247.tif 000002
【特許請求の範囲】
【請求項１】
セラミック製ハニカム成形体製造装置のセラミック原料を混練・押出する押出機２とハニカム成形型に加圧された前記セラミック原料の混練物を供給するために内径が連続的に縮減する抵抗管３との間、又は前記押出機が複数台連結して運転される際の押出機相互間に配設され、セラミック原料中の大きい粒や異物を除去する濾過装置１であって、
前記セラミック原料中の大きい粒や異物を除去するための金属製濾過網１１を装着、固定したスライド式カセット１０と、
該スライド式カセット１０を濾過装置１の筐体内外に出し入れして、前記スライド式カセット１０に装着、固定された金属製濾過網１１の交換を可能にする油圧シリンダー４と、
前記濾過装置１の筐体壁のスライド式カセット１０が出入りする部分に生じる隙間から、加圧されたセラミック原料が漏出するのを防止する漏洩防止機構とを備えてなることを特徴とするセラミック製ハニカム成形体製造装置における濾過装置。
【請求項２】
前記漏洩防止機構が、
前記スライド式カセット１０の前後両面に前記金属製濾過網１１の支持板（カセットブレーカー）１３を取り囲むように削設された円環形状の嵌合溝１４と、
前記スライド式カセット１０の前後に位置する濾過装置１の筐体壁内に装着され、前記金属製濾過網１１が筐体内に挿入されたときには前記嵌合溝１４に嵌入し、金属製濾過網１１を交換するために前記スライド式カセット１０を摺動させて筐体外に移動させるときには嵌合溝１４との嵌合を解除できるよう前後に摺動する２つの円筒形状の摺動ライナー３０、３０’と、
前記２つの円筒形状の摺動ライナー３０、３０’の嵌合溝１４への嵌入と嵌合解除をそれぞれ行う２つの摺動ライナー駆動手段とで構成されてなることを特徴とする請求項１に記載のセラミック製ハニカム成形体製造装置における濾過装置。
【請求項３】
前記摺動ライナー駆動手段が、
前記摺動ライナー３０、３０’それぞれの外壁２箇所に刻設されたラックギア３１ａ、３１ｂと、
同ラックギア３１ａ、３１ｂに係合し互いに同期して逆方向に回動する２つのピニオンギア３２ａ、３２ｂと、
前記２つのピニオンギア３２ａ、３２ｂを濾過装置１の筐体外から回動させるためのハンドル２１と、
一方の端部付近には右ネジが、他方の端部付近には左ネジが刻設され、前記ハンドル２１の操作によって回動する回動軸２２と、
同回動軸の右ネジ部分、左ネジ部分に被装され、回動軸２２の回動により回動軸２２に沿って異なる向きに移動する内壁に右ネジが刻設され円筒形のナット２３ａと、左ネジが刻設された円筒形のナット２３ｂと、
一端が前記円筒形のナット２３ａ、２３ｂに回動可能に装着され、他端が前記ピニオンギア３２ａ、３２ｂの回動軸２６に固着された２つのアーム２５ａ、２５ｂとで構成されてなることを特徴とする請求項１又は２に記載のセラミック製ハニカム成形体製造装置における濾過装置。
【請求項４】
前記スライド式カセット１０が、前記金属製濾過網１１を該金属製濾過網１１に加わるセラミック原料の圧力に耐えられるよう支持し、かつ金属製濾過網１１で濾過されたセラミック原料をハニカム成形型に送れるよう多数の小孔が穿設された金属製濾過網１１の支持板（カセットブレーカー）１３と、
金属製濾過網１１が濾過装置１の筐体外に移動して交換可能な位置にある時、前記押出機２と抵抗管３とが連通するように前記金属製濾過網大の円形孔１６が穿設された部分とでなり、かつ一方の端部が油圧シリンダーのロッド１７に固着されてなることを特徴とする請求項１〜３のいずれか１項に記載のセラミック製ハニカム成形体製造装置における濾過装置。
【請求項５】
前記摺動ライナー駆動手段が、前記金属製濾過網１１が濾過装置１の筐体内に挿入され前記摺動ライナー３０、３０’が嵌合溝１４に嵌入した状態にあるときに前記油圧シリンダー４の作動を禁止させるセンサー２７と、また前記金属製濾過網１１が濾過装置１の筐体外に取り出され前記摺動ライナー３０、３０’が嵌合溝１４から離脱している時に押出機２の動作を停止させるセンサー２７’とが備えられていることを特徴とする請求項１〜４のいずれか１項に記載のセラミック製ハニカム成形体製造装置における濾過装置。
【発明の詳細な説明】
【技術分野】
【０００１】
本発明は、セラミック製ハニカム成形体製造装置における濾過装置に係り、特にセラミック原料中の大きい粒や異物を除去する金属製濾過網を交換するためのスライド式カセットと、該スライド式カセットと濾過装置の筐体壁との間に生じる隙間から混練・加圧されたセラミック原料が漏洩するのを防止する漏洩防止機構とを備えたセラミック製ハニカム成形体製造装置における濾過装置に関する。
【背景技術】
【０００２】
一般に、セラミック製ハニカム成形体製造装置は、ハニカムの成形型にセラミック原料を連続的に混練して押し出すスクリューを備えた押出機が上下に２〜３段連接されて構成されており、押出機相互間及び押出機とハニカム成形型に加圧された粘土状のセラミック原料を供給するために内径が連続的に縮減する抵抗管３との間にはセラミック原料中の大きい粒や異物を除去する濾過装置が設けられている。
この濾過装置には、セラミック原料を濾過しセラミック原料中の大きな粒や異物を除去する円形の金属製の濾過網が設けられているが、この金属製濾過網はセラミック原料の大きな粒や異物の蓄積によって目詰まりが生じ、有効濾過面積が減少しセラミック原料のハニカム成形型への円滑な流れを妨げることとなる。したがってこの金属製濾過網は定期的に交換する必要がある。
しかし、金属製濾過網の交換に当たって前記濾過装置を押出機やハニカム成形型から取り外して行うのでは手間と時間がかかり、その間セラミック製ハニカム成形体製造装置の運転を停止しなければならず、稼働率の低下は避けられない。また、前記金属製濾過網にはセラミック製ハニカム製造装置運転時にほぼ４００ｋｇ／ｃｍ2の圧力が加わっており、たとえ前記セラミック製ハニカム成形体製造装置を停止させていても前記濾過装置を押出機から取り外すのは危険が伴う。
そこで、前記濾過装置に、前記金属製濾過網を装置外に取り出して交換できるスライド式カセットを備え、油圧によって前記スライド式カセットを摺動させて前記金属製濾過網を前記セラミック製ハニカム成形体製造装置の運転時には所定位置に、交換時には前記セラミック製ハニカム成形体製造装置を停止した後に濾過装置の筐体外に移動させられるようにして対応している。
しかし、このようにスライド式カセットの濾過装置では、カセットと濾過装置の筐体壁との間を完全に密着状態にはできず、しかも前述のように金属製濾過網にはセラミック原料が４００ｋｇ／ｃｍ2の圧力で加わるので、前記カセットケースと濾過装置の筐体壁との間の極く僅かな隙間から前記セラミック原料が漏洩する恐れが出てくる。
【発明の開示】
【発明が解決しようとする課題】
【０００３】
本発明は、上述の背景技術に鑑みてなされたもので、スライド式カセットを備えた濾過装置において、カセットと濾過装置の筐体壁との間に生じる極く僅かな隙間からセラミック原料が漏洩するのを防ぐとともに、金属製濾過網の交換が容易にできるセラミック製ハニカム成形体製造装置における濾過装置を提供することを課題とするものである。
【課題を解決するための手段】
【０００４】
本発明者は、上記課題を下記の手段により解決した。
（１）セラミック製ハニカム成形体製造装置のセラミック原料を混練・押出する押出機とハニカム成形型に加圧された前記セラミック原料の混練物を供給するために内径が連続的に縮減する抵抗管との間、又は前記押出機が複数台連結して運転される際の押出機相互間に配設され、セラミック原料中の大きい粒や異物を除去する濾過装置であって、
前記セラミック原料中の大きい粒や異物を除去するための金属製濾過網を装着、固定したスライド式カセットと、
該スライド式カセットを濾過装置の筐体内外に出し入れして、前記スライド式カセットに装着、固定された金属製濾過網の交換を可能にする油圧シリンダーと、
前記濾過装置の筐体壁のスライド式カセットが出入りする部分に生じる隙間から、加圧されたセラミック原料が漏出するのを防止する漏洩防止機構とを備えてなることを特徴とするセラミック製ハニカム成形体製造装置における濾過装置。
【０００５】
（２）前記漏洩防止機構が、
前記スライド式カセットの前後両面に前記金属製濾過網の支持板（カセットブレーカー）を取り囲むように削設された円環形状の嵌合溝と、
前記スライド式カセットの前後に位置する濾過装置の筐体壁内に装着され、前記金属製濾過網が筐体内に挿入されたときには前記嵌合溝に嵌入し、金属製濾過網を交換するために前記スライド式カセットを摺動させて筐体外に移動させるときには嵌合溝との嵌合を解除できるよう前後に摺動する２つの円筒形状の摺動ライナーと、
前記２つの円筒形状の摺動ライナーの嵌合溝への嵌入と嵌合解除をそれぞれ行う２つの摺動ライナー駆動手段とで構成されてなることを特徴とする前項（１）に記載のセラミック製ハニカム成形体製造装置における濾過装置。
【０００６】
（３）前記摺動ライナー駆動手段が、それぞれ
前記摺動ライナーの外壁２箇所に刻設されたラックギアと、
同ラックギアに係合し互いに同期して逆方向に回動する２つのピニオンギアと、
前記２つのピニオンギアを筐体外から回動させるためのハンドルと、
一方の端部付近には右ネジが、他方の端部付近には左ネジが刻設され、前記ハンドルの操作によって回動する回動軸と、
同回動軸の右ネジ部分、左ネジ部分に被装され、回動軸の回動により回動軸に沿って異なる向きに移動する内壁に右ネジが刻設された円筒形のナットと、左ネジが刻設された円筒形のナットと、
一端が前記ナットに回動可能に装着され、他端が前記ピニオンギアの回動軸に固着されたアームとで構成されてなることを特徴とする前項（１）又は（２）に記載のセラミック製ハニカム成形体製造装置における濾過装置。
【０００７】
（４）前記スライド式カセットが、前記金属製濾過網に加わるセラミック原料の圧力に耐えられるよう支持し、かつ金属製濾過網で濾過されたセラミック原料をハニカム成形型に送れるよう多数の小孔が穿設された金属製濾過網の支持板（カセットブレーカー）と、
金属製濾過網が濾過装置の筐体外に移動して交換可能な位置にある時、前記押出機と抵抗管とが連通するような前記金属製濾過網大の円形孔が穿設された部分とでなり、かつ一方の端部が油圧シリンダーのロッドに固着されてなることを特徴とする前項（１）〜（３）のいずれか１項に記載のセラミック製ハニカム成形体製造装置における濾過装置。
【０００８】
（５）前記摺動ライナー駆動手段が、前記金属製濾過網が濾過装置の筐体内に挿入され前記摺動ライナーが嵌合溝に嵌入した状態にあるときに前記油圧シリンダーの作動を禁止させるセンサーと、また前記金属製濾過網が濾過装置の筐体外に取り出され前記摺動ライナーが嵌合溝から離脱している時に押出機の動作を停止させるセンサーとが備えられていることを特徴とする前項（１）〜（４）のいずれか１項に記載のセラミック製ハニカム成形体製造装置における濾過装置。
【発明の効果】
【０００９】
本発明のセラミック製ハニカム成形体製造装置における濾過装置によって、下記の効果が発揮できる。
〈１〉セラミック製ハニカム成形体製造装置のセラミック原料を混練・押出する押出機とハニカム成形型に加圧された前記セラミック原料の混練物を供給するために内径が連続的に縮減する抵抗管との間、又は前記押出機が複数台連結して運転される際の押出機相互間に配設され、セラミック原料中の大きい粒や異物を除去する濾過装置であって、前記セラミック原料中の大きい粒や異物を除去するための金属製濾過網を装着、固定したスライド式カセットと、該スライド式カセットを濾過装置の筐体内外に出し入れして、前記スライド式カセットに装着、固定された金属製濾過網の交換を可能にする油圧シリンダーと、前記濾過装置の筐体壁のスライド式カセットが出入りする部分に生じる隙間から、加圧されたセラミック原料が漏出するのを防止する漏洩防止機構とを備えているので、目詰まりした金属製濾過網の交換が、安全、容易にでき、かつスライド式カセット部分からセラミック原料が漏洩することのないセラミック製ハニカム成形体製造装置における濾過装置が提供できる。
【００１０】
〈２〉前記セラミック原料の漏洩防止が、前記スライド式カセットの前後両面に前記金属製濾過網の支持板（カセットブレーカー）を取り囲むように削設された円形状の嵌合溝に、前記スライド式カセットの前後に位置する濾過装置の筐体壁内に装着された２つの円筒形状の摺動ライナーを嵌入させることによって行われるので、濾過装置筐体壁のスライド式カセットが出入りする部分からのセラミック原料の漏洩を確実に防止できる。
【００１１】
〈３〉前記摺動ライナーの嵌合溝への嵌入及び嵌合解除が、摺動ライナーの外側壁の２箇所に刻設されたラックギアに係合し、互いに同期して逆方向に回動する２つのピニオンギアを、筐体外に備えたハンドルの回動操作によって、一方の端部付近に右ネジが、他方の端部付近には左ネジが刻設された回動軸と、同回動軸の右ネジ部分、左ネジ部分に被装され、回動軸の回動により回動軸に沿って異なる向きに移動する内壁に右ネジが刻設された円筒形のナットと、左ネジが刻設された円筒形のナットと、一端が前記ナットに接続され、他端が前記ピニオンギアの回動軸に固着されたアームとを介して回動させるので、摺動ライナーの嵌合溝への嵌入と嵌合解除が確実、容易、かつ安全に行える。
【００１２】
〈４〉前記スライド式カセットが、前記金属製濾過網に加わるセラミック原料の圧力に耐えられるよう支持し、かつ金属製濾過網で濾過されたセラミック原料をハニカム成形型に送れるよう多数の小孔が穿設された金属製濾過網の支持板（カセットブレーカー）と、金属製濾過網が濾過装置の筐体外に移動して交換可能な位置にある時、前記押出機と抵抗管とが連通するような前記金属製濾過網大の円形孔が穿設された部分とでなるので、前記金属製濾過網を交換しスライド式カセットを移動して濾過装置の所定位置に戻す際、前記スライド式カセットに穿設された前記円形孔が、セラミック製ハニカム成形体製造装置休止中に残圧によって濾過装置内に流入した粘土状のセラミック原料を筐体外に掃き出すので、セラミック製ハニカム成形体製造装置の運転再開が直ちに行え、稼働効率を高めることができる。
【００１３】
〈５〉前記摺動ライナー駆動手段に、前記金属製濾過網が濾過装置の筐体内に挿入され前記摺動ライナーが嵌合溝に嵌入した状態にあるときに前記油圧シリンダーの作動を禁止させるセンサーと、また前記金属製濾過網が濾過装置の筐体外に取り出され前記摺動ライナーが嵌合溝から離脱している時に押出機２の動作を停止させるセンサーとが備えられているので、セラミック製ハニカム成形体製造装置稼働時にはスライド式カセットの移動は確実に禁止されて作業者と装置の安全確保が図れ、また金属製濾過網交換中には押出機の運転が確実に停止され、セラミック原料が抵抗管へ流れ込み不良品が製造されるという恐れが完全になくなる。
【発明を実施するための最良の形態】
【００１４】
本発明のセラミック製ハニカム成形体製造装置における濾過装置の実施の形態について、実施例の図に基づいて説明する。
図１はセラミック製ハニカム製造装置における濾過装置周辺の平面図、図２は金属製濾過網が所定位置にセットされた状態のスライド式カセットを抵抗管側から見た正面図、図３は金属製濾過網が取り替え位置に取り出された状態のスライド式カセットを抵抗管側から見た正面図、図４はスライド式カセットの押出機側から見た斜視図、図５、図６は漏洩防止機構の構造及び作用の説明図である。
図において１は濾過装置、２は押出機、３は抵抗管、４は油圧シリンダー、５は油圧シリンダーブラケット、６は側面安全カバーであり、１０はスライド式カセット、１１は金属製濾過網、１２は金属製濾過網の抑え金具、１３はカセットブレーカー、１４は嵌合溝、１５は濾過された原料の通過孔、１６は円形孔、１７は油圧シリンダーのロッドを示す。
そして２１はハンドル、２２は回動軸、２３ａは内壁に右ネジが刻設された円筒形のナット、２３ｂは内壁に左ネジが刻設された円筒形のナット、２５ａ、２５ｂはアーム、２６はピニオンギアの回動軸、２７、２７’はセンサー、３０、３０’は摺動ライナー、３１ａ、３１ｂはラックギア、３２ａ、３２ｂはピニオンギアを示す。
【００１５】
本発明のセラミック製ハニカム成形体製造装置における濾過装置１は、図１に示すように、セラミック原料を混練しつつ押し出す押出機２とハニカム成形型に加圧したセラミック原料を供給するための抵抗管３との間に配設され、セラミック原料中の大きい粒や異物を除去するための金属製濾過網１１を装着、固定した図４に示すスライド式カセット１０を、油圧シリンダー４によって摺動して濾過装置１の筐体内外に出し入れし、前記金属製濾過網１１の交換を可能にするとともに、前記スライド式カセット１０が出入りする部分の濾過装置１筐体の壁面に生じる極く僅かな隙間から、加圧されたセラミック原料が漏出するのを防止する漏洩防止機構を備えている。
【００１６】
そして前記スライド式カセット１０は、図２〜図４に示すように、金属製濾過網１１に加わる４００ｋｇ／ｃｍ2程度にまで加圧されたセラミック原料の圧力に耐えられるよう支持し、かつ金属製濾過網１１で濾過されたセラミック原料をハニカム成形型に送れるよう多数の小孔が穿設された金属製濾過網１１の支持板（以下カセットブレーカーと記す）１３と、金属製濾過網１１が濾過装置１の筐体外に移動して交換可能な位置にある時、前記押出機２と抵抗管３とが連通するように金属製濾過網大の円形孔１６が穿設された部分とで構成され、さらに円形孔１６側の端部に油圧シリンダーのロッド１７が固着されている。
【００１７】
さらに、前記漏洩防止機構は、図２〜図４に示すように、前記スライド式カセット１０のカセットブレーカー１３の前後両面、すなわち押出機２及び抵抗管３に装着される両面に前記カセットブレーカー１３を取り囲むように削設された円形状の嵌合溝１４と、
図５、図６に示すように、前記スライド式カセット１０の前後に位置する濾過装置１の筐体壁内に装着され、前記金属製濾過網１１が筐体内に挿入されたときには前記嵌合溝１４に嵌入し、金属製濾過網１１を交換するために前記スライド式カセット１０を摺動させて筐体外に移動させるときには嵌合溝１４との嵌合を解除できるよう前後に摺動する２つの円筒形状の摺動ライナー３０、３０’と、前記２つの円筒形状の摺動ライナー３０及び３０’をそれぞれ嵌合溝１４へ嵌入し、また嵌合解除を行う２つの摺動ライナー駆動手段とで構成されている。
【００１８】
そしてまた、前記２つの摺動ライナー駆動手段は、図５、６に示すように、それぞれ
前記摺動ライナー３０、３０’の外壁２箇所に刻設されたラックギア３１ａ、３１ｂと、
同ラックギア３１ａ、３１ｂに係合し互いに同期して逆向きに回動する２つのピニオンギア３２ａ、３２ｂと、
前記２つのピニオンギア３２ａ、３２ｂを筐体外から回動させるためのハンドル２１と、
一方の端部付近には右ネジが、他方の端部付近には左ネジが刻設され、前記ハンドル２１の操作によって回動する回動軸２２と、
同回動軸２２の右ネジ部分及び左ネジ部分に被装され、内壁にそれぞれ右ネジ、左ネジか刻設されて回動軸２２の回動により回動軸２２に沿って異なる向きに移動する２つの円筒形のナット２３ａ、２３ｂと、
一端が前記円筒形のナット２３ａ、２３ｂに回動可能に装着され、他端が前記ピニオンギア３２ａ、３２ｂの回動軸２６に固着されたアーム２５ａ、２５ｂとで構成されている。
そして、前記金属製濾過網１１が濾過装置１の筐体内に挿入され前記摺動ライナー３０（又は３０’）が嵌合溝１４に嵌入した状態にあるときには前記油圧シリンダー４の作動を禁止させるセンサー２７と、また前記金属製濾過網１１が濾過装置１の筐体外に取り出され前記摺動ライナー３０（又は３０’）が嵌合溝１４から離脱している時には押出機２の動作を停止させるセンサー２７’とを備えて、作業者と装置の安全を確保している。
【００１９】
次いで本発明のセラミック製ハニカム成形体製造装置における濾過装置１の要点である漏洩防止機構の操作、作用について図５、図６に基づいて説明する。図５は摺動ライナー３０，３０’が嵌合溝１４に嵌入した状態を示し、図６は摺動ライナー３０、３０’が嵌合溝１４から離脱したときの状態を示している。
セラミック製ハニカム成形体製造装置を運転するに当たっては、まず、手回しのハンドル２１を回動軸２２の先端に装着してＬＯＣＫ方向に回す。すると回動軸２２の両端部に刻設された右ネジ部分、左ネジ部分に被装された内壁にネジが刻設された円筒形のナット２３ａ、２３ｂが回動軸２２に沿って互いに離れる方向に移動する。この移動によって前記ナット２３ａ、２３ｂに一端が回動可能に接続され他端がピニオンギアの回動軸２６に固着されたアーム２５ａ、２５ｂが、それぞれピニオンギアの回動軸２６を中心として回動し、ピニオンギア３２ａ、３２ｂをそれぞれ別方向に回動する。
前記ピニオンギア３２ａ、３２ｂは摺動ライナー３０及び３０’それぞれの外側壁に刻設されたラックギア３１ａ、３１ｂと噛み合っているので、ピニオンギア３２ａ、３２ｂの回動によって摺動ライナー３０又は３０’はその先端面を嵌合溝１４に嵌入する。摺動ライナーの３０又は３０’が嵌合溝１４に完全に嵌入すると、前記アーム２５ａ、２５ｂの側面がセンサー２７の先端に当接し、該センサー２７から油圧シリンダー４の作動を禁止する制御信号か発生し、油圧シリンダー４のオイル注入弁を閉鎖するなどの手段によって油圧シリンダー４の作動を禁止する。その後に押出機２を運転すれば、加圧されたセラミック原料がスライド式カセット１０と濾過装置１の筐体壁との間に生じる隙間へ到達することがなくなるので、筐体外への漏洩が防止される。
金属製濾過網１１を交換する場合には、押出機２を停止させた後に、手回しのハンドル２１を回転軸２２の先端に装着してＯＰＥＮ方向に回す。すると前記回動軸２２は前記摺動ライナー３０又は３０’が嵌合溝１４に嵌入する場合とは逆方向に回動するので、前記円筒形のナット２３ａ、２３ｂは回動軸２２に沿って互いに近づくように移動し、この移動によってアーム２５ａ、２５ｂがピニオンギアの回動軸２６を介して、ピニオンギア３２ａ、３２ｂを嵌入時とは異なる向きに回動して摺動ライナー３０、３０’を嵌合溝１４から離脱させる。摺動ライナー３０、３０’の嵌合溝１４からの離脱が完了すると、前記アーム２５ａ、２５ｂの側面がセンサー２７’の先端に当接し、押出機２の運転を禁止する制御信号を発生し、押出機２への電源の供給を絶つなどの押出機運転禁止手段を作動させる。
なお、本発明では、摺動ライナー３０と３０’の嵌合溝１４への嵌入、離脱の操作を、前記手回しハンドル２１をそれぞれの回動軸２２に差し替えて個別に行っているが、１回のハンドル操作で両摺動ライナー３０、３０’が嵌合溝１４に嵌入、離脱するよう連動機構を備えてもよく、また手回しのみならず電動等機械的駆動によって行うものであってもよい。
【図面の簡単な説明】
【００２０】
【図１】セラミック製ハニカム製造装置における濾過装置周辺の平面図
【図２】金属製濾過網が所定位置にセットされた状態のスライド式カセットを抵抗管側から見た正面図
【図３】金属製濾過網が取り替え位置に取り出された状態のスライド式カセットを抵抗管側から見た正面図
【図４】スライド式カセットの押出機側から見た斜視図
【図５】漏洩防止機構の構造及び作用の説明図
【図６】漏洩防止機構の構造及び作用の説明図
【符号の説明】
【００２１】
１：濾過装置
２：押出機
３：抵抗管
４：油圧シリンダー
５：油圧シリンダーブラケット
６：側面安全カバー
１０：スライド式カセット
１１：金属製濾過網
１２：金属製濾過網の抑え金具
１３：カセットブレーカー
１４：嵌合溝
１５：濾過された原料の通過孔
１６：円形孔
１７：油圧シリンダーのロッド
２１：ハンドル
２２：回動軸
２３ａ：内壁に右ネジを刻設した円筒形のナット
２３ｂ：内壁に左ネジを刻設した円筒形のナット
２５ａ、２５ｂ：アーム
２６：ピニオンギアの回動軸
２７、２７’：センサー
３０、３０’；摺動ライナー
３１ａ、３１ｂ：ラックギア
３２ａ、３２ｂ：ピニオンギア
【図１】
2009208247.tif 000003
【図２】
2009208247.tif 000004
【図３】
2009208247.tif 000005
【図４】
2009208247.tif 000006
【図５】
2009208247.tif 000007
【図６】
2009208247.tif 000008